(57)【要約】【課題】調理済食品や米飯類やデザート類などを収容するトレー容器３０の外面側に位置させた印刷ラベル２０を、金型から浮上がらないように安定して固定することができ、美観を損なう恐れが少ない、展示効果や各種バリアー性などに優れたインモールドトレー容器を提供する。【解決手段】円孔ａを有する底面板２の各辺に前後左右の側面板３、３、３、３を連設して成る紙材料製や樹脂フィルム製やこれらの積層材料製などの印刷ラベル２０を、トレー容器３０の外面側に位置させて、高密度ポリエチレンやポリプロピレンなどの適宜のプラスチック材料を用いて一体に射出成形した角を丸めた直方体トレー状のインモールドトレー容器において、底面部３１の中央ゲート孔ｂの部分に、周辺下部に偏平な円筒リング部ｃを有する中央が膨らんだ円形凸部３２を設けたインモールドトレー容器である。【選択図】図１
2004106866.tif 000002
【特許請求の範囲】
【請求項１】
円孔ａを有する底面板２の各辺に前後左右の側面板３、３、３、３を連設して成る、紙材料製や樹脂フィルム製やこれらの積層材料製などの印刷ラベル２０を、トレー容器３０の外面側に位置させて、高密度ポリエチレンやポリプロピレンなどの、適宜のプラスチック材料を用いて一体に射出成形した、角を丸めた直方体トレー状のインモールドトレー容器において、底面部３１の中央ゲート孔ｂの部分に、周辺下部に偏平な円筒リング部ｃを有する中央が膨らんだ円形凸部３２を設けたことを特徴とするインモールドトレー容器。
【請求項２】
前述した偏平な円筒リング部ｃの内径が、印刷ラベル２０の底面板２の円孔ａの内径に等しいことを特徴とする、請求項１に記載のインモールドトレー容器。
【発明の詳細な説明】
【０００１】
【発明の属する技術分野】
本発明は、調理済食品や米飯類やデザート類などを収容する、トレー容器３０の外面側に位置させた印刷ラベル２０を、金型から浮上がらないように安定して固定することができる、角を丸めた直方体トレー状のインモールドトレー容器に関する。
【０００２】
【従来の技術】
従来から、調理済食品や米飯類やデザート類などを収容する、例えば図２Ａ、Ｂに示すような、底面板２の各辺に前後左右の側面板３、３、３、３を連設して成る、紙材料製や樹脂フィルム製やこれらの積層材料製などの、図１Ｃに示すような印刷ラベル２０を、図２Ｃに示すように、底面部３１の中央ゲート孔ｂの部分に、中央が膨らんだ円形凸部３２を設けたトレー容器３０の外面側に位置させて、高密度ポリエチレンやポリプロピレンなどの、適宜のプラスチック材料を用いて一体に射出成形した、角を丸めた直方体トレー状のインモールドトレー容器が、一般に広く用いられている。
【０００３】
【発明が解決しようとする課題】
ところが従来の、図２Ａ、Ｂに示すインモールドトレー容器については、表面に美麗な印刷をした印刷ラベル２０を、またアルミニウム箔やセラミック蒸着層などを積層した印刷ラベル２０を、トレー容器３０の外面側に位置させて、一体に射出成形することができる、展示効果や各種バリアー性などが優れた、角を丸めた直方体トレー状のインモールドトレー容器であるものの、
図２Ｃに示すように、底面部３１の中央ゲート孔ｂから、高密度ポリエチレンやポリプロピレンなどの、熱溶融した適宜のプラスチック材料を注入して、一体に射出成形する時に、図１Ｃに破線で示す底面板２の中央部分を外面側の金型（雌型；キャビティと言う）に真空吸着して固定した、印刷ラベル２０の底面板２の円孔ａを通じて（円孔ａを有しない場合は、底面板２を突破って）注入して、中央が膨らんだ円形凸部３２の内面側の金型（雄型と言う）に衝突して四方八方（図２Ｃでは左右）に広がる、熱溶融した適宜のプラスチック材料の、図２Ｃに矢印で示す流れに勢いがあるために、トレー容器３０の外面側に位置させて、外面側の金型に真空吸着して固定した印刷ラベル２０が、金型から浮上がるなど安定しないことが問題であって、印刷ラベル２０の外面側にプラスチック材料が回り込むなどの、また印刷ラベル２０がずれたり皺になったりするなどの、美観を損なう恐れ（成形不良品の発生）が多いインモールドトレー容器であった。
【０００４】
そこで、本発明の目的は、調理済食品や米飯類やデザート類などを収容する、トレー容器３０の外面側に位置させた印刷ラベル２０を、金型から浮上がらないように安定して固定することができる、美観を損なう恐れ（成形不良品の発生）が少ない、展示効果や各種バリアー性などが優れた、角を丸めた直方体トレー状のインモールドトレー容器を提供することにある。
【０００５】
【課題を解決するための手段】
本発明のインモールドトレー容器は、図１Ａ、Ｂに示すように、円孔ａを有する底面板２の各辺に前後左右の側面板３、３、３、３を連設して成る、紙材料製や樹脂フィルム製やこれらの積層材料製などの、図１Ｃに示す印刷ラベル２０を、トレー容器３０の外面側に位置させて、高密度ポリエチレンやポリプロピレンなどの、適宜のプラスチック材料を用いて一体に射出成形した、角を丸めた直方体トレー状のインモールドトレー容器において、底面部３１の中央ゲート孔ｂの部分に、周辺下部に偏平な円筒リング部ｃを有する中央が膨らんだ円形凸部３２を設けたことを特徴とするインモールドトレー容器である。
【０００６】
本発明のインモールドトレー容器においては、前述した従来と同様の、角を丸めた直方体トレー状のインモールドトレー容器において、底面部３１の中央ゲート孔ｂの部分に、周辺下部に偏平な円筒リング部ｃを有する中央が膨らんだ円形凸部３２を設けたことによって、
図１Ｂに示すように、底面部３１の中央ゲート孔ｂから、高密度ポリエチレンやポリプロピレンなどの、熱溶融した適宜のプラスチック材料を注入して、一体に射出成形する時に、図１Ｃに破線で示す底面板２の中央部分を、図示していない外面側の金型（雌型）に真空吸着して固定した、印刷ラベル２０の底面板２の円孔ａを通じて注入して、周辺下部に偏平な円筒リング部ｃを有する中央が膨らんだ円形凸部３２の、同じく図示していない内面側の金型（雄型）に衝突して四方八方（図１Ｂでは左右）に広がる、熱溶融した適宜のプラスチック材料の、図１Ｂに矢印で示す流れに下降流が生じるために、しかもこの下降流に勢いがあるために、トレー容器３０の外面側に位置させて、底面板２の中央部分を外面側の金型に真空吸着して固定した印刷ラベル２０の、底面板２の円孔ａの近傍をしっかり押えて、金型から浮上がらないように安定して固定することができる、印刷ラベル２０の外面側にプラスチック材料が回り込むことがない、また印刷ラベル２０がずれたり皺になったりすることがない、美観を損なう恐れ（成形不良品の発生）が少ないインモールドトレー容器を提供することができる。
【０００７】
加えて、本発明のインモールドトレー容器は、図１Ｂに示すように、前述した偏平な円筒リング部ｃの内径が、印刷ラベル２０の底面板２の円孔ａの内径に等しいことを特徴とするインモールドトレー容器である。
【０００８】
本発明のインモールドトレー容器においては、中央が膨らんだ円形凸部３２の周辺下部の偏平な円筒リング部ｃの内径（外面側の金型の外径に相当する）が、印刷ラベル２０の底面板２の円孔ａの内径に等しいことによって、
図１Ｂに示すように、底面部３１の中央ゲート孔ｂから、高密度ポリエチレンやポリプロピレンなどの、熱溶融した適宜のプラスチック材料を注入して、一体に射出成形する時に、まず中央が膨らんだ円形凸部３２の周辺下部の偏平な円筒リング部ｃの、図示していない外面側の金型（雌型）に、内径が等しい印刷ラベル２０の底面板２の円孔ａを嵌合して、トレー容器３０の外面側に、図１Ｃに示す印刷ラベル２０を動かないように固定して位置させた後に、底面板２の中央部分を外面側の金型に真空吸着して固定した印刷ラベル２０の、底面板２の円孔ａの近傍をしっかり押えて、金型から浮上がらないように安定して固定することができる、美観を損なう恐れ（成形不良品の発生）が、さらに少ないインモールドトレー容器を提供することができる。
【０００９】
【発明の実施の形態】
本発明のインモールドトレー容器における、底面部３１の中央ゲート孔ｂの部分に設けた、周辺下部に偏平な円筒リング部ｃを有する中央が膨らんだ円形凸部３２については、通常の４〜６ｍｍφ程度の、従来と同様の中央が膨らんだ円形凸部３２の周辺下部に、図１Ｂに示すように、円形凸部３２と同一直径で、高さがトレー容器３０の肉厚の約２倍の０　．８〜１　．２ｍｍ程度の、図１Ｂに矢印で示す均一な下降流が得られる偏平な円筒リング部ｃを、従来のインモールド射出成形金型の雌型と雄型との彫刻面を修正するだけで、特に制約なく底面部３１の中央ゲート孔ｂの部分に設けることができる。
【００１０】
【実施例】
図１Ａは、本発明の実施例における、インモールドトレー容器の断面図であって、また図１Ｂは、トレー容器３０の底面部３１の部分拡大断面図であって、さらに図１Ｃは、印刷ラベル２０の平面図である。
【００１１】
すなわち、４　．８ｍｍφの円孔ａを有する６４×６４ｍｍの底面板２の各辺に、２６×６４ｍｍの前後左右の側面板３、３、３、３を連設して成る、図１Ｃに示す印刷ラベル２０であって、表面に美麗な印刷をした延伸ポリプロピレン（ＯＰＰ、３０μｍ）と、酸素や紫外線などの各種バリアー性が優れたセラミック蒸着付のポリエステル（ＰＥＴ、１２μｍ）と、未延伸ポリプロピレン（ＣＰＰ、５０μｍ）とを、適宜の接着剤を介して積層した積層樹脂フィルムを用いて、通常の打抜型を用いた打抜工程で、本発明の実施例における、インモールドトレー容器の印刷ラベル２０を作製した。
【００１２】
次に、美麗な印刷をして酸素や紫外線などの各種バリアー性を付与した、図１Ｃに示す印刷ラベル２０を、底面部３１の中央ゲート孔ｂの部分に、周辺下部に外径が６．０ｍｍ（外面側の金型の外径が４．８ｍｍ）で高さが１．０ｍｍの偏平な円筒リング部ｃを有する、通常の６．０ｍｍφの中央が膨らんだ円形凸部３２を設けた、図１Ｂ、Ｃに示すトレー容器３０の外面側に、図示していない偏平な円筒リング部ｃの外径が４．８ｍｍの外面側の金型（雌型）に、印刷ラベル２０の底面板２の４．８ｍｍφの円孔ａを嵌合して、動かないように固定して位置させた後に、図１Ｃに破線で示す底面板２の中央部分を、図示していない外面側の金型（雌型）に真空吸着して固定して、図１Ｂに示すように、底面部３１の中央ゲート孔ｂから、熱溶融したポリエチレン（Ｊ２００３ＧＰ、出光石油化学製）を、印刷ラベル２０の底面板２の円孔ａを通じて注入して、一体に射出成形して、収容部の縦、横、深さが６４×６４×２７ｍｍで平均肉厚が０．６ｍｍの本発明の実施例における角を丸めた直方体トレー状のインモールドトレー容器を作製した。
【００１３】
本発明の実施例における、インモールドトレー容器においては、底面部３１の中央ゲート孔ｂの部分に、周辺下部に偏平な円筒リング部ｃを有する中央が膨らんだ円形凸部３２を設けたことによって、図１Ｂに示すように、底面部３１の中央ゲート孔ｂから、熱溶融した通常の高密度ポリエチレンを注入して、一体に射出成形する時に、印刷ラベル２０の底面板２の円孔ａを通じて注入して、周辺下部に偏平な円筒リング部ｃを有する中央が膨らんだ円形凸部３２の、内面側の金型に衝突して四方八方に広がる、熱溶融した通常の高密度ポリエチレンの、図１Ｂに矢印で示す流れに下降流が生じるために、しかもこの下降流に勢いがあるために、トレー容器３０の外面側に位置させて、底面板２の中央部分を外面側の金型に真空吸着して固定した印刷ラベル２０の、底面板２の円孔ａの近傍をしっかり押えて、金型から浮上がらないように安定して固定することができる、印刷ラベル２０の外面側にプラスチック材料が回り込むことがない、また印刷ラベル２０がずれたり皺になったりすることがない、美観を損なう恐れが少ないインモールドトレー容器を得ることができた。
【００１４】
【発明の効果】
以上、実施例ほかに示すとおり、本発明のインモールドトレー容器においては調理済食品や米飯類やデザート類などを収容する、トレー容器３０の外面側に位置させた印刷ラベル２０を、金型から浮上がらないように安定して固定することができる、美観を損なう恐れ（　　成形不良品の発生）が少ない、展示効果や各種バリアー性などが優れた、角を丸めた直方体トレー状のインモールドトレー容器を提供することができる。
【図面の簡単な説明】
【図１】本発明の実施例における、図１Ａは、インモールドトレー容器の断面図であって、また図１Ｂは、トレー容器３０の底面部３１の部分拡大断面図であって、さらに図１Ｃは、印刷ラベル２０の平面図である。
【図２】図２Ａ、Ｂは、従来のインモールドトレー容器の断面図、斜視図であって、また図２Ｃは、従来のトレー容器３０の底面部３１の部分拡大断面図である。
【符号の説明】
２　　…底面板
３　　…側面板
２０　　…印刷ラベル
３０　　…トレー容器
３１　　…底面部
３２　　…円形凸部
ａ　　…円孔
ｂ　　　…中央ゲート孔
ｃ　　　…円筒リング部
【図１】
2004106866.tif 000003
【図２】
2004106866.tif 000004